(57)【要約】【課題】    張りキャンバスを使って絵を描いたり、張りキャンバスを搬送する際の利便性を向上させる。【解決手段】  枠体２にキャンバス生地３が張られた張りキャンバス１に取り付ける保護フレームであって、前記張りキャンバス１の裏面側から前記枠体２をクランプするクランプ部１１０と、当該クランプ部１１０に連結されると共に該クランプ部１００で前記枠体２をクランプすると前記枠体２の外側に当該枠体２に沿って配置されるフレーム部１３０と、を備える。【選択図】図５
2013028044.tif 000002
【特許請求の範囲】
【請求項１】
枠体にキャンバス生地が張られた張りキャンバスに取り付ける保護フレームであって、
前記張りキャンバスの裏面側から前記枠体をクランプするクランプ部と、
当該クランプ部に連結されると共に該クランプ部で前記枠体をクランプすると前記枠体の外側に当該枠体に沿って配置されるフレーム部と、を備える
ことを特徴とする張りキャンバス用保護フレーム。
【請求項２】
請求項１おいて
前記フレーム部の厚さが前記枠体の厚さと略同一とされている
ことを特徴とする張りキャンバス用保護フレーム。
【請求項３】
請求項１又は２において、
取付時、前記フレーム部の表面が前記張りキャンバスの表面と面一となる
ことを特徴とする張りキャンバス用保護フレーム。
【請求項４】
請求項１〜３のいずれかにおいて、
前記フレーム部が伸縮自在の構造とされている
ことを特徴とする張りキャンバス用保護フレーム。
【請求項５】
請求項１〜４のいずれかの張りキャンバス用保護フレームを張りキャンバスの対向する辺にそれぞれ取り付けたままで当該張りキャンバスをイーゼルに載置して絵を描く方法。
【請求項６】
請求項１〜４のいずれかの張りキャンバス用保護フレームを２枚の張りキャンバスの対向する辺にそれぞれ取り付けた上で当該２枚の張りキャンバスの表面を対面配置し、
取り付けた前記張りキャンバス用保護フレームのフレーム部をキャンバスクリップで挟持して搬送するキャンバスの搬送方法。
【発明の詳細な説明】
【技術分野】
【０００１】
本発明は、油絵等を描く際に用いられる絵画道具の技術分野に関し、詳しくは張りキャンバスの取扱性を向上させるための保護フレームに関する。
【背景技術】
【０００２】
従来、油絵等を描く際には、木枠にキャンバス地が張られた所謂「張りキャンバス（以下単に「キャンバス」という場合がある。）」が利用されることが多い。このキャンバスを用いて絵を描く際には、例えば図１６に示すようにキャンバス１をイーゼル５に載置して使用する。
【０００３】
また、キャンバス上に載せた絵の具は直ぐには乾燥しないため、キャンバスを運ぶ必要性がある場合など、特許文献１に示されるようなキャンバスクリップを利用して２枚のキャンバス表面を内側に対面させつつ所定の間隔を有するように保持運搬がなされていた。
【先行技術文献】
【特許文献】
【０００４】
【特許文献１】登録実用新案公報第３０４４１７９号
【発明の概要】
【発明が解決しようとする課題】
【０００５】
図１６〜１７に示しているように、キャンバス１をそのままイーゼル５に載置すると、キャンバス１をイーゼル５に載置するための載置台５ａや、保持具５ｂの存在によってキャンバス１の表面の一部が隠れてしまう。要するに、この隠れた部分に絵を描くことができないという不具合が生じる。これを回避するには、キャンバス１を手で持ち上げたり、一旦載置台５ａの上に何かスペーサーのようなものを置いてその上にキャンバス１を載せたり、保持具５ｂの保持を解除する必要がある。
【０００６】
しかしながらキャンバス１を手で持ち上げたり、スペーサーを置いたり、保持具５ｂの保持を解除したまま絵を描くような場合、キャンバス１の固定が不十分となり、折角描いた絵が落下等する危険性があると共に、そういった事に注意を取られるので絵を描くことに集中することができなくなってしまう。特に美術家は、インスピレーションを大切にする者が多いので、キャンバスの持ち上げや移動など集中力が低下する行為は好まない。それに何よりも、載置台５ａや保持具５ｂによって隠れた部分は一気に絵を描くことができないので、マチエール（絵の質感）やタッチが断絶されてしまうという致命的な不具合がある。
【０００７】
また一方、特許文献１に記載のキャンバスクリップを利用してキャンバスを搬送等する場合、程度の差こそあれ、キャンバス表面にキャンバスクリップの一部が不可避に接触する事から、クリップで挟持しようとする部分の絵の具が少なからず損傷してしまう。またこれを嫌って当該部分に絵の具を塗らない場合、上記同様にマチエール（絵の質感）やタッチの断絶という問題が付きまとう。
【０００８】
本発明は、これら問題点を解決するべくなされたものである。
【課題を解決するための手段】
【０００９】
上記課題を解決するべく、本願発明は、枠体にキャンバス生地が張られた張りキャンバスに取り付ける保護フレームであって、前記張りキャンバスの裏面側から前記枠体をクランプするクランプ部と、当該クランプ部に連結されると共に該クランプ部で前記枠体をクランプすると前記枠体の外側に当該枠体に沿って配置されるフレーム部と、を備えた構成とされている。
【００１０】
要するに当該保護フレームをキャンバスに取り付けることによって、キャンバスの周り（キャンバス木枠の周り）に一時的にフレーム部を配置させることが可能となる。このフレーム部がキャンバスの周りに位置決め配置されていることによって、イーゼルに載置する場合でも載置台や保持具によって隠れるのはこのフレーム部となり、キャンバス自体の表面は完全に露出することとなる。また同様に、キャンバスクリップで挟持する場合もフレーム部を挟持することになるので、絵の表面にキャンバスクリップが接触する事もない。要するに、張りキャンバス用保護フレームを張りキャンバスの対向する辺にそれぞれ取り付けたままで当該張りキャンバスをイーゼルに載置して絵を描いたり、張りキャンバス用保護フレームを２枚の張りキャンバスの対向する辺にそれぞれ取り付けた上で当該２枚の張りキャンバスの表面を対面配置し、取り付けた前記張りキャンバス用保護フレームのフレーム部をキャンバスクリップで挟持して搬送することが可能となるのである。
【００１１】
また本発明は、前記フレーム部の厚さが前記枠体の厚さと略同一とされるような構成を採用することもできる。
【００１２】
このように構成することで、キャンバスを載置したり保持したり挟持する等の道具を殆どそのまま流用することが可能となる。
【００１３】
また本発明は、取付時、前記フレーム部の表面が前記張りキャンバスの表面と面一となるような構成を採用することもできる。
【００１４】
このように構成することで、普段使っているキャンバスの使用感覚を損なうことがない。即ち、例えば、載置台に載置するときにも、キャンバス表面の位置感覚（遠近方向の位置感覚）が従来と変ることがない。
【００１５】
また本発明は、前記フレーム部を伸縮自在の構造を採用することもできる。
【００１６】
このように構成することで、大きさの異なるキャンバスに対応できると共に、同じキャンバスの縦横いずれにも取り付けて使用する事が可能となる。
【発明の効果】
【００１７】
本発明を適用することで、イーゼルに載置したキャンバスの表面が隠れることがない。また、キャンバス表面に触れる事なくキャンバスクリップを利用してキャンバスを搬送することができる。
【図面の簡単な説明】
【００１８】
【図１】張りキャンバス用保護フレームの正面側斜視図である。
【図２】張りキャンバス用保護フレームの背面図である。
【図３】張りキャンバス用保護フレームの正面図である。
【図４】張りキャンバス用保護フレームの右側面図である。
【図５】張りキャンバスの対向する辺にそれぞれ本発明に係る張りキャンバス用保護フレームを取り付けた状態を、張りキャンバスの裏面側から示した図である。
【図６】張りキャンバスの対向する辺にそれぞれ本発明に係る張りキャンバス用保護フレームを取り付けた状態を、張りキャンバスの側面側から示した図である。
【図７】張りキャンバスの対向する辺にそれぞれ本発明に係る張りキャンバス用保護フレームを取り付けた状態で、イーゼルに張りキャンバスを載置した状態を示した図である。
【図８】２枚の張りキャンバスの対向する辺にそれぞれ本発明に係る張りキャンバス用保護フレームを取り付けた状態で、キャンバスクリップで挟持している状態を示した図である。
【図９】図８におけるキャンバスクリップ挟持部の拡大図である。
【図１０】張りキャンバス用保護フレームの第２実施例を示した正面側斜視図である。
【図１１】張りキャンバス用保護フレームの第２実施例を示した背面図である。
【図１２】張りキャンバス用保護フレームの第２実施例を示した正面図である。
【図１３】張りキャンバス用保護フレームの第２実施例を示した右側面図である。
【図１４】張りキャンバス用保護フレームの第３実施例を示した側面図である。
【図１５】張りキャンバス用保護フレームの第４実施例を示した斜視図である。
【図１６】（従来）イーゼルにキャンバスを載置した状態を示す斜視図である。
【図１７】（従来）イーゼルにキャンバスを載置した状態を示す側面図である。
【発明を実施するための形態】
【００１９】
以下、添付図面を参照しつつ、本発明の実施形態の一例について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２０】
〈張りキャンバス用保護フレームの構成〉
図１〜図４に示しているように、本発明の実施形態の一例である張りキャンバス用保護フレーム（以下単に「保護フレーム」という場合がある。）１００は、断面矩形の長尺体に構成されたフレーム部１３０と、当該フレーム部１３０の両端近傍に連結固定された２つのクランプ部１１０とを備えた構成とされている。
【００２１】
フレーム部１３０は木材で構成され、その厚みＤは取り付ける張りキャンバスの木枠の厚みと略同一となるように構成される。
【００２２】
クランプ部１１０は、主としてアルミニウム製で構成され、ベースプレート１１２の上端から下方に約１／３程度下がった位置に当該ベースプレート１１２から垂直方向に立設された第１クランププレートを備える。またベースプレート１１２の下端にも当該ベースプレート１１２から垂直方向に立設された第２クランププレート１１６を備える。第２クランププレート１１６の略中央にはネジ溝が切られた貫通孔が形成されていて、当該貫通孔にネジ山１２０が形成された調整ネジ１２２が螺合している。更に調整ネジ１２２の先端（上端）には可動プレート１１８が固定されている。即ち、調整ネジ１２２を回すことによって、第１クランププレート１１２に対して可動プレート１１８を接近・離間させることが可能となっている。
【００２３】
〈張りキャンバス用保護フレームの作用・機能〉
この保護フレーム１００を使用する時は、調整ネジ１２２を回して第１クランププレート１１４と可動プレート１１８とをある程度離間させておき、その状態でキャンバス１の裏面から木枠（枠体）２を挟み込むように取り付ける（図５及び図６を参照）。この時フレーム部１３０はキャンバス１の外側（外周面側）となるように取り付ける。即ち、第１クランププレート１１４がキャンバス木枠２の外周面側に当接し、可動プレート１１８が木枠２の内周面側に当接するように取り付けるのである。もちろん調整ネジ１２２を締め込んでガタツキ等ない状態にしっかりと取り付ける。
【００２４】
なお原則としてキャンバス１に対して保護フレーム１００は上下若しくは左右に一対となるように取り付ける。即ち、キャンバス１の対向する辺のそれぞれに保護フレーム１００を取り付けて使用する。
【００２５】
保護フレーム１００を取り付けたキャンバス１は、例えば図７に示しているように、イーゼル５に載置したとしても載置台５ａや保持具５ｂによってキャンバス表面が隠れることがない。即ち、隠れた部分を塗る等のために、キャンバス１を手で持ち上げたり、スペーサーを置いたり、保持具５ｂの保持を解除する必要がなく、絵を描くことに集中することができる。更に、マチエール（絵の質感）やタッチの断絶も回避できる。
【００２６】
また、保護フレーム１００を取り付けたキャンバス１は、例えば図８〜図９に示しているように、市販のキャンバスクリップ６を利用して搬送することができる。このときキャンバスクリップ６はキャンバス１そのものを挟持しているのではなく保護フレーム１１０のフレーム部１３０を挟持しているので、キャンバスクリップ６がキャンバス１の表面に接触することがない。即ち、絵の具の損傷もなく、また、クリップする部分を塗り残しておく等の必要がないのでマチエール（絵の質感）やタッチの断絶という問題も発生しない。
【００２７】
〈その他の構成例〉
次に図１０〜図１３に示した、本発明の第２実施例について説明する。なお以降の説明においては、前述した保護フレーム１００の構成と同一または類似する部分に関しは数字下２桁が同一の符号を付するに留め、重複説明は省略する。
【００２８】
保護フレーム２００は、フレーム部２３０が長手方向に伸縮自在の構成とされている点が最大の特徴である。伸縮自在となる構造自体は種々の構造を採用することが可能であるが、ここでは図１１に示している通り、フレーム部をフレーム部中央２３０とフレーム部サイド２３２に分割し、フレーム部中央２３０に中空部２３０ａを設けた中空構造とする。一方、フレーム部サイド２３２にはこの中空部２３０ａ内にスライド可能なガイド部２３４が設けられる。フレーム部を最も短くした場合、ガイド部２３４は全てフレーム部中央２３０の中空部２３０ａ内に収納される。また、図示していないが最大限フレーム部を伸張させてもガイド部２３４がフレーム部中央２３０から抜け落ちてしまわないようストッパが設けられている。このように構成されていることによって、大きさの異なるキャンバスに対応できると共に、同じキャンバスの縦横いずれにも取り付けて使用する事が可能となる。
【００２９】
また、保護フレーム２００においては、第１クランププレート２１４に位置決め突起２１５が備わっている。これはフレーム部を伸縮自在にしたことによってクランプ部２１０がクランプ時、横方向にズレを生じないようにするためである。ここでは正面視三角形の位置決め突起２１５が左右に２つ並んで設けられている。これによりクランプ部２１０が木枠をクランプした際、当該位置決め突起２１５が木枠の外周面に食い込んで横ずれを防止する。もちろんその他の形状であっても良いし、場合によってはゴム等滑り難い素材を第１クランププレートの２１４の表面に貼付した構成としてもよい。
【００３０】
また図１４に示しているように、キャンバスクリップを利用して保持搬送するのではなく、２枚のキャンバス１のそれぞれに保護フレーム３００を取り付けた上で、対面したフレーム部３３０の間にスペーサー３４１を配置して固定できる固定手段３４０（簡易的にはボルトとナットでも可）を設けておいてもよい。そうすればキャンバスクリップを別途用意する必要がない。
【００３１】
また図１５に示しているように、本発明にかかる保護フレーム１００を２枚の張りキャンバス１にそれぞれ取り付け、取り付けた２枚の張りキャンバス１を縦に重ねて連結することで（連結の手法自体は種々の手法を利用できる）、通常のイーゼル５に２枚の張りキャンバス１を載置することが可能となる。これにより、複数枚載置用の専用イーゼルわざわざ購入する必要がない。
【００３２】
なお、上記においては、フレーム部１３０が木材、クランプ部１１０が主にアルミニウム製の材料で構成されているが、一定の強度を確保できる限りにおいてその他の様々な材料を利用して構成することができる。
【符号の説明】
【００３３】
１００・・・張りキャンバス用保護フレーム
１１０・・・クランプ部
１１２・・・ベースプレート
１１４・・・第１クランププレート
１１６・・・第２クランププレート
１１８・・・可動プレート
１２２・・・調整ネジ
１３０・・・フレーム部
【図１】
2013028044.tif 000003
【図２】
2013028044.tif 000004
【図３】
2013028044.tif 000005
【図４】
2013028044.tif 000006
【図５】
2013028044.tif 000007
【図６】
2013028044.tif 000008
【図７】
2013028044.tif 000009
【図８】
2013028044.tif 000010
【図９】
2013028044.tif 000011
【図１０】
2013028044.tif 000012
【図１１】
2013028044.tif 000013
【図１２】
2013028044.tif 000014
【図１３】
2013028044.tif 000015
【図１４】
2013028044.tif 000016
【図１５】
2013028044.tif 000017
【図１６】
2013028044.tif 000018
【図１７】
2013028044.tif 000019